(57)【要約】      （修正有）【課題】１枚のシートから容易に組立てられ衛生的に使用でき、少量の材料で作られるコストと携帯性と廃棄性に優れた、スナック菓子などの手で直接摘む食品を、手を汚さずに食べることが出来る使い捨ての組立挟持具を提供する。【解決手段】食品を直接挟むための一対の挟持片部と、各挟持片部側辺から延びる側片部で構成する。１枚の少量のシートを折り曲げ、中央に挟持片部を形成し、側片部を折ることにより容易に組み立てられる。組立てた状態で机などに置いた時に食品を直接挟む挟持片部が素材の弾性により置かれた面に直接触れる事がなく底面から浮く。これらにより手軽で衛生的に使える使い捨ての組立挟持具となる。【選択図】図２
0003168725.tif 000002
【実用新案登録請求の範囲】
【請求項１】
１枚のシートをその短手方向に沿って折り曲げ、各折り曲げ面の中央に食品を直接挟むための一対の挟持片部を形成し、各挟持片部の側辺から伸びて挟持片部の側辺で折り曲げられる側片部から構成されたことを特徴とする挟持具。
【請求項２】
組立てた状態でテーブルや机に置いた時に、食品を直接挟む挟持片部がテーブルや机の表面に直接触れずに浮く事を特徴とした請求項１記載の挟持具。
【考案の詳細な説明】
【技術分野】
【０００１】  本考案は１枚のシートから折り線を介して組立てられる使い捨てタイプの組立挟持具に関する。
【背景技術】
【０００２】  スナック菓子やファストフードのフライドポテトなどの手で直接摘んで食べる食品は指先が汚れ、特にパソコンや読書をしながらや、アウトドアで食べる場合は衛生面でも好ましくないという問題がある。手が汚れるのを嫌い箸や専用のトングが用いられる場合もある。【０００３】スナック菓子やファストフードのフライドポテトなどを食べる専用のトングは持ち運びがかさ張り、使い終わった後の手入れも必要。手で直接摘んで食べる食品を、手を汚さずに食べられる手軽な使い捨て道具が求められる。
【先行技術文献】
【特許文献】
【０００４】  特許文献１は組立が容易であり、使い捨ても出来るが、スナック菓子やファストフードのフライドポテトを食べるにはコストが高く、大きすぎるため手軽に使えない。
【特許文献１】特開２００７−１５１９８８
【考案の概要】
【考案が解決しようとする課題】
【０００５】  本考案は１枚のシートから容易に組立てられ衛生的に使用でき、少量の材料で作られる、コストと携帯性と廃棄性に優れた組立挟持具を提供することである。
【課題を解決するための手段】
【０００６】  １枚のシートをその短手方向に沿って折り曲げ、各折り曲げ面の中央に食品を直接挟むための一対の挟持片部を形成し、各挟持片部の側辺から伸びて挟持片部の側辺で折り曲げられる側片部で構成する。【０００７】  １枚のシートを折り曲げ、側片部を折り曲げることによりテーブルや机などに置いた時に食品を直接挟む挟持片部を底テーブルや机などの表面から浮かせる。【０００８】  本考案に用いる材料は耐油紙又はＰＰ加工された板紙の厚さ０．３〜０．６ｍｍ又は合成樹脂シートの厚さ０．３〜０．５μほどのものが好ましい。素材は適度なコシがあり加工に問題が無ければ紙素材に限定しない。
【考案の効果】
【０００９】  １枚のシートを折り曲げ、組立てられるので、組立前は１枚のシートであり保管と輸送のスペースが抑えられる。【００１０】  少量の材料で作られるため携帯が容易で廃棄性にも優れコストも抑えられる。【００１１】  側片部を折り曲げることにより挟持片部の強度が増すと共に、組立てた状態でテーブルや机などに置いた時に、食品を直接挟む挟持片部が直接テーブルや机の表面に接することなく浮き、衛生的に使える。
【図面の簡単な説明】
【００１２】
【図１】本考案の実施例の挟持具の展開図である。
【図２】上記組立状態の斜視図である。
【図３】上記を側片部を底にして置いた時に、挟持片部が底から浮く状態を示すものである。
【図４】本考案の使用状態の斜視図である
【図５】本考案の側片部の変形の参考例である。
【考案を実施するための形態】
【００１３】  １枚のシートをその短手方向に沿って折り曲げ、各折り曲げ面の中央に食品を直接挟むための一対の挟持片部を形成し、各挟持片部の側辺から伸びて挟持片部の側辺で折り曲げられる側片部で構成する。組立てた状態でテーブルや机などに置いた時に、食品を直接挟む挟持片部が直接テーブルや机の表面に接しないように浮かせる。
【実施例】
【００１４】  本考案の実施の形態について説明する。図１に示すように１枚のシートから図２に示すように組立てて挟持具とすることができる。【００１５】  図１に示すように挟持片部１−１と挟持片部側辺ａ、ａから延びる側片部２−１、２−２により形成し、折曲線ｂを介して挟持片部１−１、１−２が連接し、挟持片部１−２と挟持片部側辺ａ、ａから延びる側片部２−３、２−４で対称な一対の形態に構成されている。【００１６】  挟持片部１−１、１−２の形状は特に限定されるものではない。但し、好ましくは折曲線ｂより挟持片部１−１、１−２の先端に向け適宜細くなり食品を確実に挟める形状が採用される。【００１７】  上記側片部２−１、２−２、２−３、２−４の形状は特に限定されるものではない。但し、好ましくは折曲線ｂより挟持片部１−１、１−２の先端に向け適宜細くなり食品を確実に挟める形状が採用される。【００１８】  図１のシートは折曲線ｂを谷曲げされ、挟持片部側辺ａ、ａを山折りすることで図２の状態に組立てられる。【００１９】  図２の状態で挟持片部１−１、１−２が食品を挟む為に必用な強度を生み。図４に示すように挟持片部１−１、１−２の外側を人差し指と親指で挟み食品を挟むことが出来る。また側片部２−１、２−２、２−３、２−４は指を食品に触れさせないガ−ドとなるとともに指の位置を安定させる。【００２０】  図２の状態で折曲線ｂは素材の弾性により常に挟持片部１、１が開く作用が生じている。したがって挟持片部１−１、１−２の開閉は楽に行うことが出来る。【００２１】  図２の状態で側片部２−１、２−３を下にして置いた状態が図３のようになる。挟持片部側辺ａ、ａは山折りされても素材の弾性により常に素材が開く作用が生じている。このため挟持片部１−１、１−２は置かれた面に直接触れる事なく浮き、衛生的に使う事が出来る。【００２２】  図５に示したように側片部の形態は印刷の図柄等により変形する場合がある。
【符号の説明】
【００２３】１−１  挟持片部
１−２  挟持片部
２−１  側片部
２−２  側片部
２−３  側片部
２−４  側片部
ａ      挟持片部側辺
ｂ      折曲線
【図１】
0003168725.tif 000003
【図２】
0003168725.tif 000004
【図３】
0003168725.tif 000005
【図４】
0003168725.tif 000006
【図５】
0003168725.tif 000007
【手続補正書】
【提出日】平成23年3月30日(2011.3.30)
【手続補正１】
【補正対象書類名】実用新案登録請求の範囲
【補正対象項目名】請求項１
【補正方法】変更
【補正の内容】
【請求項１】
略矩形状を呈する１枚のシートの両端部に食品を直接挟むための一対の挟持片部を形成すると共に、該各挟持片部の両側辺に該両側辺から伸びる側片部を形成して、上記シートを中央の短手方向に沿って内側に折り曲げて各挟持片部を口開き状態で対向させると同時に、上記各側片部を挟持片部の側辺で外側に折り曲げて起立させたことを特徴とする挟持具。
【手続補正２】
【補正対象書類名】明細書
【補正対象項目名】全文
【補正方法】変更
【補正の内容】
【考案の詳細な説明】
【技術分野】
【０００１】  本考案は１枚のシートから折り線を介して組立てられる使い捨てタイプの組立挟持具に関する。
【背景技術】
【０００２】  スナック菓子やファストフードのフライドポテトなどの手で直接摘んで食べる食品は指先が汚れ、特にパソコンや読書をしながらや、アウトドアで食べる場合は衛生面でも好ましくないという問題がある。手が汚れるのを嫌い箸や専用のトングが用いられる場合もある。【０００３】スナック菓子やファストフードのフライドポテトなどを食べる専用のトングは持ち運びがかさ張り、使い終わった後の手入れも必要。手で直接摘んで食べる食品を、手を汚さずに食べられる手軽な使い捨て道具が求められる。
【先行技術文献】
【特許文献】
【０００４】  特許文献１は組立が容易であり、使い捨ても出来るが、スナック菓子やファストフードのフライドポテトを食べるにはコストが高く、大きすぎるため手軽に使えない。
【特許文献１】特開２００７−１５１９８８
【考案の概要】
【考案が解決しようとする課題】
【０００５】  本考案は１枚のシートから容易に組立てられ衛生的に使用でき、少量の材料で作られる、コストと携帯性と廃棄性に優れた組立挟持具を提供することである。
【課題を解決するための手段】
【０００６】略矩形状を呈する１枚のシートの両端部に食品を直接挟むための一対の挟持片部を形成すると共に、該各挟持片部の両側辺に該両側辺から伸びる側片部を形成して、上記シートを中央の短手方向に沿って内側に折り曲げて各挟持片部を口開き状態で対向させると同時に、上記各側片部を挟持片部の側辺で外側に折り曲げて起立させる。【０００７】  １枚のシートを折り曲げ、側片部を折り曲げることによりテーブルや机などに置いた時に食品を直接挟む挟持片部を底テーブルや机などの表面から浮かせる。【０００８】  本考案に用いる材料は耐油紙又はＰＰ加工された板紙の厚さ０．３〜０．６ｍｍ又は合成樹脂シートの厚さ０．３〜０．５μほどのものが好ましい。素材は適度なコシがあり加工に問題が無ければ紙素材に限定しない。
【考案の効果】
【０００９】  １枚のシートを折り曲げ、組立てられるので、組立前は１枚のシートであり保管と輸送のスペースが抑えられる。【００１０】  少量の材料で作られるため携帯が容易で廃棄性にも優れコストも抑えられる。【００１１】  側片部を折り曲げることにより挟持片部の強度が増すと共に、組立てた状態でテーブルや机などに置いた時に、食品を直接挟む挟持片部が直接テーブルや机の表面に接することなく浮き、衛生的に使える。
【図面の簡単な説明】
【００１２】
【図１】本考案の実施例の挟持具の展開図である。
【図２】上記組立状態の斜視図である。
【図３】上記を側片部を底にして置いた時に、挟持片部が底から浮く状態を示すものである。
【図４】本考案の使用状態の斜視図である
【図５】本考案の側片部の変形の参考例である。
【考案を実施するための形態】
【００１３】略矩形状を呈する１枚のシートの両端部に食品を直接挟むための一対の挟持片部を形成すると共に、該各挟持片部の両側辺に該両側辺から伸びる側片部を形成して、上記シートを中央の短手方向に沿って内側に折り曲げて各挟持片部を口開き状態で対向させると同時に、上記各側片部を挟持片部の側辺で外側に折り曲げて起立させる。
組立てた状態でテーブルや机などに置いた時に、食品を直接挟む挟持片部が直接テーブルや机の表面に接しないように浮かせる。
【実施例】
【００１４】  本考案の実施の形態について説明する。図１に示すように１枚のシートから図２に示すように組立てて挟持具とすることができる。【００１５】  図１に示すように挟持片部１−１と挟持片部側辺ａ、ａから延びる側片部２−１、２−２により形成し、折曲線ｂを介して挟持片部１−１、１−２が連接し、挟持片部１−２と挟持片部側辺ａ、ａから延びる側片部２−３、２−４で対称な一対の形態に構成されている。【００１６】  挟持片部１−１、１−２の形状は特に限定されるものではない。但し、好ましくは折曲線ｂより挟持片部１−１、１−２の先端に向け適宜細くなり食品を確実に挟める形状が採用される。【００１７】  上記側片部２−１、２−２、２−３、２−４の形状は特に限定されるものではない。但し、好ましくは折曲線ｂより挟持片部１−１、１−２の先端に向け適宜細くなり食品を確実に挟める形状が採用される。【００１８】  図１のシートは折曲線ｂを谷曲げされ、挟持片部側辺ａ、ａを山折りすることで図２の状態に組立てられる。【００１９】  図２の状態で挟持片部１−１、１−２が食品を挟む為に必用な強度を生み。図４に示すように挟持片部１−１、１−２の外側を人差し指と親指で挟み食品を挟むことが出来る。また側片部２−１、２−２、２−３、２−４は指を食品に触れさせないガ−ドとなるとともに指の位置を安定させる。【００２０】  図２の状態で折曲線ｂは素材の弾性により常に挟持片部１、１が開く作用が生じている。したがって挟持片部１−１、１−２の開閉は楽に行うことが出来る。【００２１】  図２の状態で側片部２−１、２−３を下にして置いた状態が図３のようになる。挟持片部側辺ａ、ａは山折りされても素材の弾性により常に素材が開く作用が生じている。このため挟持片部１−１、１−２は置かれた面に直接触れる事なく浮き、衛生的に使う事が出来る。【００２２】  図５に示したように側片部の形態は印刷の図柄等により変形する場合がある。
【符号の説明】
【００２３】１−１  挟持片部
１−２  挟持片部
２−１  側片部
２−２  側片部
２−３  側片部
２−４  側片部
ａ      挟持片部側辺
ｂ      折曲線